(57)【要約】【課題】自動車部品等の製品に対する真空蒸着、スパッタリング、塗装等の手法による被覆において、作業性に優れ、かつ、安価に製造することができるマスク取付具を提供する。【解決手段】マスク取付具１ａ自体をマスク３ａに着脱自在に取り付けるためのマスク取付部５ａと、製品７ａを係脱自在に係止するための製品係止部９ａとを備え、該マスク取付部と製品係止部とはそれぞれ弾性を有することを特徴とするマスク取付具。前記マスク取付部は、マスクの縁部３ａ’を挟持するための挟持手段である。挟持手段は係止爪１３ａを備えている。製品係止部は係止爪を備えている。マスク取付具は合成樹脂により一体的に形成する。【選択図】図１
2007113022.tif 000002
【特許請求の範囲】
【請求項１】
マスク取付具自体をマスクに着脱自在に取り付けるためのマスク取付部と、製品を係脱自在に係止するための製品係止部とを備え、該マスク取付部と製品係止部とはそれぞれ弾性を有することを特徴とするマスク取付具。
【請求項２】
前記マスク取付部は、マスクの縁部を挟持するための挟持手段であることを特徴とする請求項１に記載のマスク取付具。
【請求項３】
前記挟持手段は係止爪を備えていることを特徴とする請求項２に記載のマスク取付具。
【請求項４】
前記製品係止部は係止爪を備えていることを特徴とする請求項１〜３のいずれかに記載のマスク取付具。
【請求項５】
前記マスク取付具は合成樹脂により一体的に形成したことを特徴とする請求項１〜４のいずれかに記載のマスク取付具。
【発明の詳細な説明】
【技術分野】
【０００１】
本発明は、マスク取付具に関するものであり、更に詳しくは、例えば自動車部品等の製品に対し真空蒸着、スパッタリング、塗装等の手法により被覆を行なう際に、該製品をマスクに取り付けるためのマスク取付具に係るものである。
【背景技術】
【０００２】
マスク取付具としては、例えば、コイルばね、回動自在のレバー、取付ねじ等（以下「従来のマスク取付具」という。）が従来より使用されている。
【０００３】
従来のマスク取付具たるコイルばねは、コイルばねの両端をマスクの表面に取り付け、製品の端部を該コイルばねとマスクの表面との間の隙間に挿入することにより、製品をマスクに取り付けるようにしたものである。
【０００４】
従来のマスク取付具たる回動自在のレバーは、マスクの表面にレバーを回動自在に取り付け、製品の端部を該レバーの近傍に位置させた状態で該レバーを製品の該端部上に回動させ、該端部を該レバーとマスクの表面との間に固定することにより、製品をマスクに取り付けるようにしたものである。
【０００５】
従来のマスク取付具たる取付ねじは、製品をマスク上の所定の位置に配設した状態で取付ねじによりマスクに固定するようにしたものである。
【０００６】
特開２００４−１５６０９８号公報は、蒸着用マスク治具（以下「従来の蒸着用マスク治具」という。）を開示している。
【０００７】
従来の蒸着用マスク治具は、上治具と下治具とよりなり、上治具と下治具とはピン、固定爪、固定爪係止部等の連結手段を備え、上治具と下治具との間に製品を介在させた状態で上治具と下治具とを該連結手段により相互に連結するようにしてなるものである。該連結手段は、上治具ないし下治具と一体的に形成されている。
【特許文献１】特開２００４−１５６０９８号公報
【発明の開示】
【発明が解決しようとする課題】
【０００８】
上記従来のマスク取付具においては、マスクに対する製品の取り付け作業、取り外し作業が面倒であり、作業性が悪いという問題がある。
【０００９】
上記従来の蒸着用マスク治具においては、上治具と下治具との間に製品を介在させた状態で上治具と下治具とを連結手段により相互に連結する作業が面倒であり、作業性が悪いという問題がある。
【００１０】
また、上記従来の蒸着用マスク治具は、構造が複雑であって、製造コストが嵩むという問題もある。
【００１１】
本発明は、上記従来の技術における上述の如き問題を解決し、作業性に優れ、かつ、安価に製造することができるマスク取付具を提供しようとしてなされたものである。
【課題を解決するための手段】
【００１２】
上記課題を解決するために、本発明は、下記のマスク取付具を提供する。
【００１３】
（１）マスク取付具自体をマスクに着脱自在に取り付けるためのマスク取付部と、製品を係脱自在に係止するための製品係止部とを備え、該マスク取付部と製品係止部とはそれぞれ弾性を有することを特徴とするマスク取付具（請求項１）。
【００１４】
（２）前記マスク取付部は、マスクの縁部を挟持するための挟持手段である（請求項２）。
【００１５】
（３）前記挟持手段は係止爪を備えている（請求項３）。
【００１６】
（４）前記製品係止部は係止爪を備えている（請求項４）。
【００１７】
（５）前記マスク取付具は合成樹脂により一体的に形成する（請求項５）。
【発明の効果】
【００１８】
［請求項１の発明］
請求項１の発明によれば、単に、マスク取付部によりマスク取付具自体をマスクに取り付けた状態で製品係止部により製品を係止することにより、製品をマスクに取り付けることができる。
【００１９】
マスク取付部によりマスク取付具自体をマスクに取り付ける作業は、該マスク取付部が弾性を有するため、極めて容易である。
【００２０】
製品係止部により製品を係止する作業は、該製品係止部がが弾性を有するため、極めて容易である。
【００２１】
マスク取付具はマスクとは別体のものであり、安価に製造することができる。
【００２２】
マスク取付部はマスクに対し着脱自在であり、製品係止部は製品に対し係脱自在であるため、マスク取付具は、繰り返し使用することができ、経済的である。
【００２３】
［請求項２の発明］
マスク取付部はマスクの縁部を挟持するための挟持手段であるため、マスク取付部をマスクの縁部に取り付ける際には、弾性を有する該挟持手段をマスクの縁部にその弾性に抗して嵌着すればよい。即ち、マスク取付部をマスクの縁部に取り付ける作業は極めて簡単である。
【００２４】
また、マスク取付部をマスクの縁部から取り外す際には、挟持手段をその弾性に抗して該縁部より引き抜けばよい。即ち、マスク取付部をマスクの縁部から取り外す作業も極めて簡単である。
【００２５】
［請求項３の発明］
挟持手段は係止爪を備えているため、マスク取付具はマスクの縁部に確実に取り付けられる。
【００２６】
［請求項４の発明］
製品係止部は係止爪を備えているため、製品を確実に係止する。
【００２７】
［請求項５の発明］
マスク取付具は、合成樹脂により一体的に形成されるため、安価に製造することができる。
【発明を実施するための最良の形態】
【００２８】
図中、符号１（１ａ、１ｂ、１ｃ、１ｄ、１ｅ）に示すものは、本発明によるマスク取付具である。
【００２９】
マスク取付具１（１ａ、１ｂ、１ｃ、１ｄ、１ｅ）は、該マスク取付具１（１ａ、１ｂ、１ｃ、１ｄ、１ｅ）自体をマスク３（３ａ、３ｂ、３ｃ、３ｄ、３ｅ）に着脱自在に取り付けるためのマスク取付部５（５ａ、５ｂ、５ｃ、５ｄ、５ｅ、５ｅ’）と、製品７（７ａ、７ｂ、７ｃ、７ｄ、７ｅ）を係脱自在に係止するための製品係止部９（９ａ、９ｂ、９ｃ、９ｄ、９ｅ）とを備え、該マスク取付部５（５ａ、５ｂ、５ｃ、５ｄ、５ｅ、５ｅ’）と製品係止部９（９ａ、９ｂ、９ｃ、９ｄ、９ｅ）とはそれぞれ弾性を有するものである。
【００３０】
マスク取付具１（１ａ、１ｂ、１ｃ、１ｄ、１ｅ）は、好ましくは、合成樹脂により一体的に形成する。
【００３１】
マスク取付具１（１ａ、１ｂ、１ｃ、１ｄ、１ｅ）を形成する合成樹脂としては、例えば、ＡＢＳ、ＰＥＴ、ポリカーボネート等が好ましく使用される。
【００３２】
以下、図面に示す事例毎に説明する。
【００３３】
まず、図１〜図３に示すマスク取付具１ａについて説明する。
【００３４】
マスク取付具１ａにおけるマスク取付部５ａは、マスク３ａの縁部３ａ’を挟持するための挟持手段である。符号６に示すものはマスク３ａの開口部である。
【００３５】
即ち、マスク取付部５ａたる挟持手段は、一対の挟持部１１ａ、１１ａ’間にマスク３ａの縁部３ａ’を挟持するようにしてなるものである。
【００３６】
一方の挟持部１１ａの先端には内方へ突出する係止爪１３ａが形成されている。マスク３ａの縁部３ａ’には該係止爪１３ａに対応する段部４ａが形成されており、該係止爪１３ａが段部４ａに係止するように構成されている。
【００３７】
マスク取付具１ａにおける製品係止部９ａは、略直角の切欠部であり、該切欠部により製品７ａの角部７ａ’を係止する。
【００３８】
図４に示すマスク取付具１ｂにおけるマスク取付部５ｂは、マスク３ｂの縁部３ｂ’を挟持するための挟持手段である。
【００３９】
即ち、マスク取付部５ｂたる挟持手段は、一対の挟持部１１ｂ、１１ｂ’間にマスク３ｂの縁部３ｂ’を挟持するようにしてなるものである。
【００４０】
一方の挟持部１１ｂの先端には内方へ突出する係止爪１３ｂが形成されている。マスク３ｂの縁部３ｂ’には該係止爪１３ｂに対応する段部４ｂが形成されており、該係止爪１３ｂが段部４ｂに係止するように構成されている。
【００４１】
マスク取付具１ｂにおける製品係止部９ｂは、係止爪１５ｂを備えており、該係止爪１５ｂにより製品７ｂの角部７ｂ’を係止する。
【００４２】
図５に示すマスク取付具１ｃにおけるマスク取付部５ｃは、マスク３ｃの縁部３ｃ’を挟持するための挟持手段である。
【００４３】
即ち、マスク取付部５ｃたる挟持手段は、一対の挟持部１１ｃ、１１ｃ’間にマスク３ｃの縁部３ｃ’を挟持するようにしてなるものである。
【００４４】
各挟持部１１ｃ、１１ｃ’の先端にはそれぞれ内方へ突出する係止爪１３ｃ、１３ｃが形成されている。マスク３ｃの縁部３ｃ’には各係止爪１３ｃに対応する段部４ｃが形成されており、各係止爪１３ｃが各段部４ｃに係止するように構成されている。
【００４５】
マスク取付具１ｃは、二つの製品係止部９ｃ、９ｃを備えており、各製品係止部９ｃには係止爪１５ｃが形成されている。各製品係止部９ｃの係止爪１５ｃは、製品７ｃの角部７ｃ’を係止する。
【００４６】
図６に示すマスク取付具１ｄにおけるマスク取付部５ｄは、屈曲脚部であり、該屈曲脚部をマスク３ｄに形成された挿通孔３ｄ’内に挿通することにより該マスク取付具１ｄを該マスク３ｄに取り付けるようにしている。
【００４７】
マスク取付具１ｄにおける製品係止部９ｄは、係止爪１５ｄを備えており、該係止爪１５ｄにより製品７ｄの角部７ｄ’を係止する。
【００４８】
図７に示すマスク取付具１ｅは、二つのマスク取付部５ｅ、５ｅ’を備えている。
【００４９】
一方のマスク取付部５ｅは、マスク３ｅの縁部３ｅ’を挟持するための挟持手段である。
【００５０】
即ち、一方のマスク取付部５ｅたる挟持手段は、一対の挟持部１１ｅ、１１ｅ’間にマスク３ｅの縁部３ｅ’を挟持するようにしてなるものである。
【００５１】
一方の挟持部１１ｅの先端には内方へ突出する係止爪１３ｅが形成されている。マスク３ｅの縁部３ｅ’には該係止爪１３ｅに対応する段部４ｅが形成されており、該係止爪１３ｅが段部４ｅに係止するように構成されている。
【００５２】
他方のマスク取付部５ｅ’は、凸部であり、該凸部をマスク３ｅに形成された凹部３ｅ”に嵌着することにより該マスク取付具１ｅを該マスク３ｅに取り付けるようにしている。
【００５３】
マスク取付具１ｅにおける製品係止部９ｅは、係止爪１５ｅを備えており、該係止爪１５ｅにより製品７ｅの角部７ｅ’を係止する。
【図面の簡単な説明】
【００５４】
【図１】本発明によるマスク取付具の一例の使用状態を示す断面図である。
【図２】図１のＩＩ−ＩＩ線における断面図である。
【図３】同上マスク取付具の使用状体を示す別の断面図である。
【図４】本発明によるマスク取付具の別の一例の使用状態を示す断面図である。
【図５】本発明によるマスク取付具の更に別の一例の使用状態を示す断面図である。
【図６】本発明によるマスク取付具の更に別の一例の使用状態を示す断面図である。
【図７】本発明によるマスク取付具の更に別の一例の使用状態を示す断面図である。
【符号の説明】
【００５５】
１  マスク取付具
１ａ  マスク取付具
１ｂ  マスク取付具
１ｃ  マスク取付具
１ｄ  マスク取付具
１ｅ  マスク取付具
３  マスク
３ａ  マスク
３ａ’  縁部
３ｂ  マスク
３ｂ’  縁部
３ｃ  マスク
３ｃ’  縁部
３ｄ  マスク
３ｄ’  挿通孔
３ｅ  マスク
３ｅ’  縁部
３ｅ”  凹部
４ａ  段部
４ｂ  段部
４ｃ  段部
４ｅ  段部
５  マスク取付部
５ａ  マスク取付部
５ｂ  マスク取付部
５ｃ  マスク取付部
５ｄ  マスク取付部
５ｅ  マスク取付部
５ｅ’  マスク取付部
６  開口部
７  製品
７ａ  製品
７ａ’  角部
７ｂ  製品
７ｂ’  角部
７ｃ  製品
７ｃ’  角部
７ｄ  製品
７ｄ’  角部
７ｅ  製品
７ｅ’  角部
９  製品係止部
９ａ  製品係止部
９ｂ  製品係止部
９ｃ  製品係止部
９ｄ  製品係止部
９ｅ  製品係止部
１１ａ  挟持部
１１ａ’  挟持部
１１ｂ  挟持部
１１ｂ’  挟持部
１１ｃ  挟持部
１１ｃ’  挟持部
１１ｅ  挟持部
１１ｅ’  挟持部
１３ａ  係止爪
１３ｂ  係止爪
１３ｃ  係止爪
１３ｅ  係止爪
１５ｂ  係止爪
１５ｃ  係止爪
１５ｄ  係止爪
１５ｅ  係止爪
【図１】
2007113022.tif 000003
【図２】
2007113022.tif 000004
【図３】
2007113022.tif 000005
【図４】
2007113022.tif 000006
【図５】
2007113022.tif 000007
【図６】
2007113022.tif 000008
【図７】
2007113022.tif 000009